(57)【要約】【課題】ドアチェーンの長さを調整可能とすることにより、汎用性を有し、ドアへの取り付けを容易に行うことができるドアチェーン装置を提供すること。【解決手段】受けレール１のスライド溝２に対し、ドアチェーン３の先端のフックボルト４を掛け止めるドアチェーン装置において、ドアチェーン３に長さ調整機構８を設け、この長さ調整機構８を、所要長さの杆状体１１と、この杆状体１１に形成され、ドアチェーン３のリング３１が挿入される溝穴８２と、この溝穴８２に略直交するようにリング３１の挿入方向に並設された複数のピン孔８３と、このピン孔８３に挿入され、リング３１内を貫通して固定されるピン８４とを備えて構成する。【選択図】  図１
2004197315.tif 000002
【特許請求の範囲】
【請求項１】
受けレールのスライド溝に対し、ドアチェーンの先端のフックボルトを掛け止めるドアチェーン装置において、前記ドアチェーンに長さ調整機構を設け、該長さ調整機構を、所要長さの杆状体と、該杆状体に形成され、ドアチェーンのリングが挿入される溝穴と、該溝穴に略直交するようにリングの挿入方向に並設された複数のピン孔と、該ピン孔に挿入され、前記リング内を貫通して固定されるピンとを備えて構成したことを特徴とするドアチェーン装置。
【請求項２】
受けレールのスライド溝に対し、ドアチェーンの先端のフックボルトを掛け止めるドアチェーン装置において、前記ドアチェーンに長さ調整機構を設け、該長さ調整機構を、一端にドアチェーンのリングが固定された杆状体と、該杆状体の他端に形成されたねじ穴と、端部が杆状体のねじ穴に螺合するねじ部材と、該ねじ部材を任意の螺合位置で固定する固定部材とを備えて構成したことを特徴とするドアチェーン装置。
【請求項３】
前記長さ調整機構を、ドアチェーンのリングがそれぞれ固定された１対の杆状体と、各杆状体の対向位置に形成されたねじ穴と、両端部が各杆状体のねじ穴にそれぞれ螺合するねじ部材と、該ねじ部材を任意の螺合位置で固定する固定部材とを備えて構成したことを特徴とする請求項２記載のドアチェーン装置。
【請求項４】
受けレールのスライド溝に対し、ドアチェーンの先端のフックボルトを掛け止めるドアチェーン装置において、前記ドアチェーンに長さ調整機構を設け、該長さ調整機構を、内外に重ねて伸縮可能に収納された複数の筒状体と、該筒状体を任意の伸縮位置で固定する固定部材とを備えて構成したことを特徴とするドアチェーン装置。
【請求項５】
受けレールのスライド溝に対し、ドアチェーンの先端のフックボルトを掛け止めるドアチェーン装置において、前記ドアチェーンに長さ調整機構を設け、該長さ調整機構を、一端をドアチェーンのリングに挿通して折り返した索状体と、索状体を折り返し部とともに挿通させる固定管と、該固定管に挿通した索状体を任意の位置で固定する固定部材とを備えて構成したことを特徴とするドアチェーン装置。
【発明の詳細な説明】
【０００１】
【発明の属する技術分野】
本発明は、ドアチェーン装置に関し、特に、ドアチェーン（本明細書において、ワイヤ等の索状体を含む。）の長さを調整可能とすることにより、汎用性を有し、ドアへの取り付けを容易に行うことができるドアチェーン装置に関するものである。
【０００２】
【従来の技術】
従来、玄関ドア等の防犯用として、ドア本体に取り付けたシリンダー錠とは別に、防犯の用心鎖としてのドアチェーン装置が設置されている。
このドアチェーン装置は、例えば、ドア側に設けた受けレールのスライド溝に対し、ドア受け側に連結した該ドアチェーン先端のフックボルトを介して掛け止めることにより、前記シリンダー錠を解錠しても、このドアチェーンによりドアが全開するのを防止するようにしている。
【０００３】
【発明が解決しようとする課題】
ところで、上記従来のドアチェーン装置は、受けレールに対し、フックボルトをドアが閉じた状態では挿脱可能とし、かつドアが開いた状態では抜けないように保持する必要から、ドアチェーンの長さが重要となるが、ドアチェーン装置を新しいものと交換する際に、ドアチェーンの長さが合わない場合は、受けレールの取付位置を動かしたりする必要が生じる。
このような場合は、鉄やアルミからなるドアに新たにねじ孔を設けなければならず、専門の道具や施工業者が必要になるなど、作業が大がかりになったりコスト高になったりするという問題が発生する。
【０００４】
本発明は、上記従来のドアチェーン装置が有する問題点に鑑み、ドアチェーンの長さを調整可能とすることにより、汎用性を有し、ドアへの取り付けを容易に行うことができるドアチェーン装置を提供することを目的とする。
【０００５】
【課題を解決するための手段】
上記目的を達成するため、本第１発明のドアチェーン装置は、受けレールのスライド溝に対し、ドアチェーンの先端のフックボルトを掛け止めるドアチェーン装置において、前記ドアチェーンに長さ調整機構を設け、該長さ調整機構を、所要長さの杆状体と、該杆状体に形成され、ドアチェーンのリングが挿入される溝穴と、該溝穴に略直交するようにリングの挿入方向に並設された複数のピン孔と、該ピン孔に挿入され、前記リング内を貫通して固定されるピンとを備えて構成したことを特徴とする。
【０００６】
このドアチェーン装置は、ドアチェーンの長さ調整機構を、所要長さの杆状体と、該杆状体に形成され、ドアチェーンのリングが挿入される溝穴と、該溝穴に略直交するようにリングの挿入方向に並設された複数のピン孔と、該ピン孔に挿入され、前記リング内を貫通して固定されるピンとを備えて構成することから、杆状体の溝穴にドアチェーンのリングを挿入して、任意のピン孔にピンを挿入固定することにより、ドアチェーンの長さを調整することができ、これにより、ドアチェーン装置の汎用性を高めて、ドアへの取り付けを容易に行うことができる。
【０００７】
また、本第２発明のドアチェーン装置は、受けレールのスライド溝に対し、ドアチェーンの先端のフックボルトを掛け止めるドアチェーン装置において、前記ドアチェーンに長さ調整機構を設け、該長さ調整機構を、一端にドアチェーンのリングが固定された杆状体と、該杆状体の他端に形成されたねじ穴と、端部が杆状体のねじ穴に螺合するねじ部材と、該ねじ部材を任意の螺合位置で固定する固定部材とを備えて構成したことを特徴とする。
【０００８】
このドアチェーン装置は、ドアチェーンの長さ調整機構を、一端にドアチェーンのリングが固定された杆状体と、該杆状体の他端に形成されたねじ穴と、端部が杆状体のねじ穴に螺合するねじ部材と、該ねじ部材を任意の螺合位置で固定する固定部材とを備えて構成することから、ねじ部材の各杆状体に対するねじ込み深さを調節することにより、ドアチェーンの長さを調整することができ、これにより、ドアチェーン装置の汎用性を高めて、ドアへの取り付けを容易に行うことができる。
【０００９】
この場合において、前記長さ調整機構を、ドアチェーンのリングがそれぞれ固定された１対の杆状体と、各杆状体の対向位置に形成されたねじ穴と、両端部が各杆状体のねじ穴にそれぞれ螺合するねじ部材と、該ねじ部材を任意の螺合位置で固定する固定部材とを備えて構成することができる。
【００１０】
これにより、長さ調整機構の調整長さを２倍に確保するとともに、見かけ上のバランスをとって外観を美しくすることができる。
【００１１】
また、本第３発明のドアチェーン装置は、受けレールのスライド溝に対し、ドアチェーンの先端のフックボルトを掛け止めるドアチェーン装置において、前記ドアチェーンに長さ調整機構を設け、該長さ調整機構を、内外に重ねて伸縮可能に収納された複数の筒状体と、該筒状体を任意の伸縮位置で固定する固定部材とを備えて構成したことを特徴とする。
【００１２】
このドアチェーン装置は、ドアチェーンの長さ調整機構を、内外に重ねて伸縮可能に収納された複数の筒状体と、該筒状体を任意の伸縮位置で固定する固定部材とを備えて構成することから、筒状体を任意の伸縮位置で固定することにより、ドアチェーンの長さを調整することができ、これにより、ドアチェーン装置の汎用性を高めて、ドアへの取り付けを容易に行うことができる。
【００１３】
また、本第４発明のドアチェーン装置は、受けレールのスライド溝に対し、ドアチェーンの先端のフックボルトを掛け止めるドアチェーン装置において、前記ドアチェーンに長さ調整機構を設け、該長さ調整機構を、一端をドアチェーンのリングに挿通して折り返した索状体と、索状体を折り返し部とともに挿通させる固定管と、該固定管に挿通した索状体を任意の位置で固定する固定部材とを備えて構成したことを特徴とする。
【００１４】
このドアチェーン装置は、ドアチェーンの長さ調整機構を、一端をドアチェーンのリングに挿通して折り返した索状体と、索状体を折り返し部とともに挿通させる固定管と、該固定管に挿通した索状体を任意の位置で固定する固定部材とを備えて構成することから、索状体を任意の位置で固定管に固定することにより、ドアチェーンの長さを調整することができ、これにより、ドアチェーン装置の汎用性を高めて、ドアへの取り付けを容易に行うことができる。
【００１５】
【発明の実施の形態】
以下、本発明のドアチェーン装置の実施の形態を図面に基づいて説明する。
【００１６】
図１〜図３に、本発明のドアチェーン装置の第１実施例を示す。
【００１７】
このドアチェーン装置は、図２〜図３に示すように、例えば、ドアＤ側に設けた受けレール１のスライド溝２に対し、ドア受けＷ側に連結したドアチェーン３を、このドアチェーン先端のフックボルト４を介して掛け止める一般のドアチェーン装置と同じ基本構造を備えている。
そして、このドアチェーン装置は、かかる基本構造に加え、図１に示すように、前記ドアチェーン３に長さ調整機構８を設け、該長さ調整機構８を、所要長さの杆状体８１と、該杆状体８１に形成され、ドアチェーン３のリング３１が挿入される溝穴８２と、該溝穴８２に直交するようにリング３１の挿入方向に並設された複数のピン孔８３と、該ピン孔８３に挿入され、前記リング３１内を貫通して固定されるピン８４とを備えて構成している。
【００１８】
杆状体８１は、左右両側にそれぞれ溝穴８２を備え、各溝穴８２は、割溝状に側部が解放されて、前記ピン８４により係止されたチェーン３のリング３１が揺動できるようになっている。
また、前記複数のピン孔８３は、溝穴８２を貫通するように形成されたねじ穴からなり、これらのピン孔８３には、１本の雄ねじからなるピン８４が選択的に螺合して固定される。
【００１９】
かくして、本実施例のドアチェーン装置は、ドアチェーンの長さ調整機構８を、所要長さの杆状体８１と、該杆状体８１に形成され、ドアチェーン３のリング３１が挿入される溝穴８２と、該溝穴８２に略直交するようにリング３１の挿入方向に並設された複数のピン孔８３と、該ピン孔８３に挿入され、前記リング３１内を貫通して固定されるピン８４とを備えて構成することから、杆状体８１の溝穴８２にドアチェーン３のリング３１を挿入して、任意のピン孔８３にピン８４を挿入固定することにより、ドアチェーン３の長さを調整することができ、これにより、ドアチェーン装置の汎用性を高めて、ドアへの取り付けを容易に行うことができる。
【００２０】
一方、このドアチェーン装置は、図２〜図３に示すように、スライド溝２の係止側端部に、フックボルト４を挿脱する第２挿入孔５を形成するとともに、前記受けレール１に、キー６の操作により第２挿入孔５を閉鎖又は解放するロック機構７を設けている。
【００２１】
ドア１に略水平に固定された受けレール１の上面には、フックボルト４を係止するスライド溝２が形成されており、このスライド溝２の基部側には、フックボルト６を挿脱する通常の挿入孔（第１挿入孔）９が形成されるとともに、スライド溝２の係止側端部には、前記フックボルト４を挿脱する第２挿入孔５が形成されている。
なお、上記第１挿入孔９には、ばね９１によって付勢されることによりこの挿入孔９を閉鎖するストッパ片９２が設けられている。このストッパ片９２は、フックボルト４の抜け止めを図る公知のもので、ばね９１に抗して押しボタン９３を押し込むことにより、挿入孔９を解放するようになっている。
【００２２】
フックボルト４は、通常のドアチェーン装置と同じもので、軸部４１の両端にこの軸部４１より大径の鍔部４２を一体に備えており、受けレール１のスライド溝２に第１挿入孔９又は第２挿入孔５を介して着脱可能に係止し、かつスライド溝２に沿って摺動することができる。
【００２３】
ロック機構７はシリンダー錠からなり、受けレール１の端部に内挿されている。
このロック機構７は、第２挿入孔５を閉鎖するカム片７１を備え、キー６の回動操作によって、このカム片７１を閉鎖位置と解放位置と選択的に移動させることができる。
また、このロック機構７は、カム片７１が解放位置にあるときはキー６が抜けずにロック機構７に係着された状態を保持し、カム片７１が閉鎖位置に移動したときにロック機構７から抜ける構造になっている。
【００２４】
このドアチェーン装置の使用方法を説明すると、まず、ドアチェーン装置を家の中に居て使用する場合は、ドアチェーン３のフックボルト４を、スライド溝２の第１挿入孔９から挿入し、ドアチェーン３を受けレール１に掛け止める。
これにより、従来のドアチェーン装置と同様の作用をし、ドアＤはドアチェーン３が伸張された狭い隙間以上には開かず、不正な侵入を阻止することができる。
【００２５】
一方、外出時等、ドアチェーン装置を家の外に居て使用する場合は、ドアチェーン３のフックボルト４を、スライド溝２の第２挿入孔５から挿入し、ドアチェーン３を受けレール１に掛け止めた後、キー６によってロック機構７を操作し、カム片７１によって第２挿入孔５を閉鎖することにより、家の外からドアチェーン装置を施錠する。
そして、ドアを完全に閉じ、ドアＤに取り付けられた既設のシリンダー錠（図示省略）を施錠する。
【００２６】
また、帰宅時は、まず、ドアＤに取り付けられた既設のシリンダー錠（図示省略）を解錠し、ドアＤを少し開く。
そして、キー６を差し込んでロック機構７を操作し、第２挿入孔５を解放するとともに、フックボルト４を第２挿入孔５から抜くことにより、家の外からドアチェーン装置を解錠することができる。
【００２７】
次に、図４を参照して、本発明のドアチェーン装置の第２実施例を説明する。
このドアチェーン装置は、受けレール１のスライド溝２に対し、ドアチェーン３の先端のフックボルト４を掛け止めるもので、前記ドアチェーン３に長さ調整機構１０を設けている。
そして、このドアチェーン装置は、図４に示すように、長さ調整機構１０を、ドアチェーン３のリング３１がピンＰによりそれぞれ固定された１対の杆状体１１と、各杆状体１１の対向位置に形成されたねじ穴１２と、両端部が各杆状体１１のねじ穴１２にそれぞれ螺合するねじ部材１３と、該ねじ部材１３を任意の螺合位置で固定する固定部材１４とを備えて構成している。
【００２８】
前記１対の杆状体１１は、軸方向に所定長さのねじ穴１２を有し、各ねじ穴１２に棒状のねじ部材１３を螺合させている。
ねじ部材１３は、杆状体１１の対向側端部に螺合されたねじからなる固定部材１４により、任意の螺合位置で固定される。
この場合、図４（ｈ）に示すように、ねじ部材１３の一部を平面状に形成して、同図（ｆ）に示すように、固定部材１４をこの平面に係合させることも可能である。
なお、杆状体１１を１個だけ設けることも可能であり、その場合は、ねじ部材１３の一端にドアチェーンのリングを固定するようにする。
【００２９】
かくして、本実施例のドアチェーン装置は、ドアチェーンの長さ調整機構１０を、ドアチェーン３のリング３１がそれぞれ固定された１対の杆状体１１と、各杆状体１１の対向位置に形成されたねじ穴１２と、両端部が各杆状体１１のねじ穴１２にそれぞれ螺合するねじ部材１３と、該ねじ部材１３を任意の螺合位置で固定する固定部材１４とを備えて構成することから、ねじ部材１３の各杆状体１１に対するねじ込み深さを調節することにより、ドアチェーン３の長さを調整することができ、これにより、ドアチェーン装置の汎用性を高めて、ドアへの取り付けを容易に行うことができる。
また、長さ調整機構１０を、互いの対向位置にねじ穴１２が形成された１対の杆状体１１と、両端部が各杆状体１１のねじ穴１２にそれぞれ螺合するねじ部材１３と、該ねじ部材１３を任意の螺合位置で固定する固定部材１４とにより構成することにより、長さ調整機構１０の調整長さを２倍に確保するとともに、見かけ上のバランスをとって外観を美しくすることができる。
【００３０】
図５に、本発明のドアチェーン装置の第３実施例を示す。
このドアチェーン装置は、受けレール１のスライド溝２に対し、ドアチェーン３の先端のフックボルト４を掛け止めるもので、前記ドアチェーン３に長さ調整機構１５を設けている。
そして、このドアチェーン装置は、この長さ調整機構１５を、内外に重ねて伸縮可能に収納された複数の筒状体１６ａ〜１６ｃと、該筒状体１６ａ〜１６ｃを任意の伸縮位置で固定する固定部材１７とを備えて構成している。
【００３１】
この長さ調整機構１５は、伸長状態で両端に位置する筒状体１６ａ、１６ｃにドアチェーン３のリング３１が固定されるとともに、内外に重なる筒状体１６ａ〜１６ｃは、抜け止めを施されてテレスコピック状に配設されている。
また、固定部材１７は、筒状体１６ａ、１６ｂの伸長側端部に螺合し、かつねじ込むことにより筒状体１６ｂ、１６ｃに係合するねじによって構成されている。
【００３２】
かくして、本実施例のドアチェーン装置は、ドアチェーンの長さ調整機構１５を、内外に重ねて伸縮可能に収納された複数の筒状体１６ａ〜１６ｃと、該筒状体１６ａ〜１６ｃを任意の伸縮位置で固定する固定部材１７とを備えて構成することから、筒状体１６ａ〜１６ｃを任意の伸縮位置で固定することにより、ドアチェーン３の長さを調整することができ、これにより、ドアチェーン装置の汎用性を高めて、ドアへの取り付けを容易に行うことができる。
【００３３】
図６に、本発明のドアチェーン装置の第４実施例を示す。
このドアチェーン装置は、受けレール１のスライド溝２に対し、ドアチェーン３の先端のフックボルト４を掛け止めるもので、前記ドアチェーン３に長さ調整機構１８を設けている。
そして、このドアチェーン装置は、この長さ調整機構１８を、一端をドアチェーンのリング３１に挿通して折り返した索状体１９と、索状体１９を折り返し部１９ａとともに挿通させる固定管２０と、該固定管２０に挿通した索状体１９を任意の位置で固定する固定部材２１とを備えて構成している。
【００３４】
固定管２０は、並び方向に連通した挿通孔２２を備えるとともに、該連通部上に複数のねじを螺合させることにより、索状体１９と係合する固定部材２１となしている。
このように、長さ調整して固定された索状体には、図３（ｂ）に示すように、合成樹脂等のチューブ２３を被せて被覆することができる。
【００３５】
かくして、本実施例のドアチェーン装置は、ドアチェーンの長さ調整機構１８を、一端をドアチェーンのリング３１に挿通して折り返した索状体１９と、索状体１９を折り返し部１９ａとともに挿通させる固定管２０と、該固定管２０に挿通した索状体１９を任意の位置で固定する固定部材２１とを備えて構成することから、索状体１９を任意の位置で固定管２０に固定することにより、ドアチェーンの長さを調整することができ、これにより、ドアチェーン装置の汎用性を高めて、ドアへの取り付けを容易に行うことができる。
【００３６】
以上、本発明のドアチェーン装置を実施例に基づいて説明したが、本発明は上記実施例に記載した構成に限定されるものではなく、その趣旨を逸脱しない範囲において適宜その構成を変更することができる。
なお、本発明の名称の「ドアチェーン装置」は、その主要な構成を明らかにするために付したものにすぎず、本明細書において、「チェーン」の概念には、上記第４実施例に示されるような索状体も含まれるものであり、これを排除しないものである。
【００３７】
【発明の効果】
本第１発明のドアチェーン装置によれば、ドアチェーンの長さ調整機構を、所要長さの杆状体と、該杆状体に形成され、ドアチェーンのリングが挿入される溝穴と、該溝穴に略直交するようにリングの挿入方向に並設された複数のピン孔と、該ピン孔に挿入され、前記リング内を貫通して固定されるピンとを備えて構成することから、杆状体の溝穴にドアチェーンのリングを挿入して、任意のピン孔にピンを挿入固定することにより、ドアチェーンの長さを調整することができ、これにより、ドアチェーン装置の汎用性を高めて、ドアへの取り付けを容易に行うことができる。
【００３８】
また、本第２発明のドアチェーン装置によれば、ドアチェーンの長さ調整機構を、一端にドアチェーンのリングが固定された杆状体と、該杆状体の他端に形成されたねじ穴と、端部が杆状体のねじ穴に螺合するねじ部材と、該ねじ部材を任意の螺合位置で固定する固定部材とを備えて構成することから、ねじ部材の各杆状体に対するねじ込み深さを調節することにより、ドアチェーンの長さを調整することができ、これにより、ドアチェーン装置の汎用性を高めて、ドアへの取り付けを容易に行うことができる。
【００３９】
この場合、前記長さ調整機構を、ドアチェーンのリングがそれぞれ固定された１対の杆状体と、各杆状体の対向位置に形成されたねじ穴と、両端部が各杆状体のねじ穴にそれぞれ螺合するねじ部材と、該ねじ部材を任意の螺合位置で固定する固定部材とを備えて構成することにより、長さ調整機構の調整長さを２倍に確保するとともに、見かけ上のバランスをとって外観を美しくすることができる。
【００４０】
また、本第３発明のドアチェーン装置によれば、ドアチェーンの長さ調整機構を、内外に重ねて伸縮可能に収納された複数の筒状体と、該筒状体を任意の伸縮位置で固定する固定部材とを備えて構成することから、筒状体を任意の伸縮位置で固定することにより、ドアチェーンの長さを調整することができ、これにより、ドアチェーン装置の汎用性を高めて、ドアへの取り付けを容易に行うことができる。
【００４１】
また、本第４発明のドアチェーン装置によれば、ドアチェーンの長さ調整機構を、一端をドアチェーンのリングに挿通して折り返した索状体と、索状体を折り返し部とともに挿通させる固定管と、該固定管に挿通した索状体を任意の位置で固定する固定部材とを備えて構成することから、索状体を任意の位置で固定管に固定することにより、ドアチェーンの長さを調整することができ、これにより、ドアチェーン装置の汎用性を高めて、ドアへの取り付けを容易に行うことができる。
【図面の簡単な説明】
【図１】本発明のドアチェーン装置の第１実施例を示し、（ａ）はドアチェーンの長さ調整機構を長くした状態を示す断面図、（ｂ）はドアチェーンの長さ調整機構を短くした状態を示す断面図、（ｃ）は杆状体の平面図、（ｄ）は同正面図、（ｅ）は同側面図である。
【図２】本発明のドアチェーン装置の解錠状態を示す断面図である。
【図３】同実施例のドアチェーン装置の施錠状態を示す断面図である。
【図４】本発明のドアチェーン装置の第２実施例を示し、（ａ）はドアチェーンの長さ調整機構を長くした状態を示す断面図、（ｂ）はドアチェーンの長さ調整機構を短くした状態を示す断面図、（ｃ）は杆状体の正面図、（ｄ）は同平面図、（ｅ）は（ｃ）のＡ−Ａ線断面図、（ｆ）は（ｅ）の他の断面相当図、（ｇ）はねじ部材の２面図、（ｈ）はねじ部材の他の例を示す２面図である。
【図５】本発明のドアチェーン装置の第３実施例を示し、（ａ）はドアチェーンの長さ調整機構を長くした状態を示す断面図、（ｂ）はドアチェーンの長さ調整機構を短くした状態を示す断面図、（ｃ）〜（ｅ）は長さ調整機構の３面図である。
【図６】本発明のドアチェーン装置の第４実施例を示し、（ａ）〜（ｂ）はドアチェーンの長さ調整機構を長くした状態を示す２面図、（ｃ）〜（ｄ）はドアチェーンの長さ調整機構を短くした状態を示す２面図、（ｅ）〜（ｆ）は固定管の２面図である。
【符号の説明】
１    受けレール
２    スライド溝
３    ドアチェーン
３１  リング
４    フックボルト
４１  軸部
４２  鍔部
５    第２挿入孔
６    キー
７    ロック機構
７１  カム片
８    長さ調整機構
８１  杆状体
８２  溝穴
８３  ピン孔
８４  ピン
９    第１挿入孔
９１  ばね
９２  ストッパ片
９３  押しボタン
１０  長さ調整機構
１１  杆状体
１２  ねじ穴
１３  ねじ部材
１４  固定部材
１５  長さ調整機構
１６ａ〜１６ｃ  筒状体
１７  固定部材
１８  長さ調整機構
１９  索状体
１９ａ  折り返し部
２０  固定管
２１  固定部材
２２  挿通孔
２３  チューブ
Ｄ    ドア
Ｗ    ドア受け
【図１】
2004197315.tif 000003
【図２】
2004197315.tif 000004
【図３】
2004197315.tif 000005
【図４】
2004197315.tif 000006
【図５】
2004197315.tif 000007
【図６】
2004197315.tif 000008